(57)【要約】【課題】細かく断裁するための追加機構が必須とされず、断裁回数を減らすことにより、成果物の生産性を向上することができる画像処理装置、画像形成装置および画像処理プログラムを提供する。【解決手段】画像処理装置は、画像形成用の画像データを生成する画像処理部と、画像処理部を制御する制御部と、を有し、制御部は、画像形成された記録媒体を指定の位置で、成果物と、成果物以外の不要物と、に分割する際の前記不要物の大きさに応じて、画像形成における画像レイアウトを変更する。【選択図】図１１
2020043535.tif 000002
【特許請求の範囲】
【請求項１】
画像形成用の画像データを生成する画像処理部と、
画像処理部を制御する制御部と、を有し、
前記制御部は、画像形成された記録媒体を指定の位置で、成果物と、成果物以外の不要物と、に分割する際の前記不要物の大きさに応じて、画像形成における画像レイアウトを変更することを特徴とする画像処理装置。
【請求項２】
前記制御部は、前記画像データから不要物のサイズを算出し、前記不要物のサイズと不要物を回収する収容部が回収可能なサイズ情報と比較して、前記収容部に回収できない大きさの不要物がある場合、前記不要物を、前記収容部が回収できるサイズ以下になるように、前記画像レイアウトを変更することを特徴とする請求項１記載の画像処理装置。
【請求項３】
前記制御部は、前記画像データから不要物のサイズを算出し、前記不要物のサイズと不要物を回収する収容部が回収可能なサイズ情報と比較し、前記収容部に回収できない大きさの不要物がある場合、前記不要物を、断裁実行回数を少なくするように、前記画像レイアウトを変更することを特徴とする請求項１または２に記載の画像処理装置。
【請求項４】
前記制御部は、前記画像レイアウトの変更に際し、成果物に位置する画像を移動または／および回転して行うことを特徴とする請求項１〜３のいずれか１項に記載の画像処理装置。
【請求項５】
前記制御部は、ＣＤ方向の断裁によって発生する不要物のＦＤ長さの合計を、前記ＣＤ方向の断裁によって発生する不要物の数で割った、ＦＤ長さ平均値が、不要物を回収する収容部が回収可能なサイズ情報より小さい場合、前記ＦＤ長さ平均値で前記画像レイアウトを変更することを特徴とする請求項１〜４のいずれか１項に記載の画像処理装置。
【請求項６】
前記制御部は、ＣＤ方向の断裁によって発生する不要物のＦＤ長さの合計を、前記ＣＤ方向の断裁によって発生する不要物の数で割った、ＦＤ長さ平均値が、不要物を回収する収容部が回収可能なサイズ情報より大きい場合、前記収容部が回収可能なサイズで前記画像レイアウトを変更することを特徴とする請求項１〜４のいずれか１項に記載の画像処理装置。
【請求項７】
前記制御部は、前記画像データから第１の不要物と第２の不要物のサイズを算出し、前記第１の不要物のサイズおよび前記第２の不要物のサイズと、前記第１の不要物を回収する収容部が回収可能なサイズ情報と比較することで、前記収容部に回収できない前記第２の不要物の有無を判別し、前記収容部に回収できない前記第２の不要物がある場合、ＣＤ方向の断裁によって発生する不要物のＦＤ長さの合計を、前記ＣＤ方向の断裁によって発生する不要物の数で割った、ＦＤ長さ平均値が、前記収容部が回収可能なサイズ情報より小さい場合、前記ＦＤ長さ平均値で前記画像レイアウトを変更し、
前記ＦＤ長さ平均値が、前記収容部が回収可能なサイズ情報より大きい場合、ＣＤ方向の断裁により発生する不要物のうち、記録媒体最後端で発生する不要物を除き、ＣＤ方向の断裁の最低保証サイズとなるように、前記画像レイアウトすることを特徴とする請求項１〜６のいずれか１項に記載の画像処理装置。
【請求項８】
前記制御部は、前記画像データから第１の不要物と第２の不要物のサイズを算出し、前記第１の不要物および前記第２の不要物のサイズと前記第１の不要物を回収する収容部が回収可能なサイズ情報と比較することで、前記第１の不要物と前記第２の不要物を判別し、
前記収容部と前記成果物を回収する出力部のいずれへの出力を優先するかの設定に従って、前記画像レイアウトを変更することを特徴とする請求項７記載の画像処理装置。
【請求項９】
前記成果物が排出される出力部と、前記第２の不要物が排出される出力部が同じ場合、
前記制御部は、前記収容部に回収できない前記第２の不要物が発生する際は、前記第２の不要物が前記出力部に排出される前記成果物のサイズと異なるサイズになるように、前記画像レイアウトを変更することを特徴とする請求項８または９に記載の画像処理装置。
【請求項１０】
画像形成用の画像データを生成する画像処理部と、
前記画像データを記録媒体に画像形成する画像形成部と、
制御部と、を備え、
前記画像形成された記録媒体を指定の位置で、成果物と、成果物以外の不要物とに、分割する断裁部に供する記録媒体に、画像形成を行う画像形成装置であって、
前記制御部は、前記不要物の大きさに応じて画像形成の画像レイアウトを変更することを特徴とする画像形成装置。
【請求項１１】
前記成果物が排出される出力部と、不要物を回収するための収容部と、を備え、
前記制御部は、前記画像データから不要物のサイズを算出し、不要物のサイズと前記収容部が回収可能なサイズ情報と比較することで、前記収容部に回収できない大きさの不要物がある場合、
前記不要物を、前記収容部が回収できるサイズ以下になるように、前記画像レイアウトを変更することを特徴とする請求項１０記載の画像形成装置。
【請求項１２】
前記成果物が排出される出力部と、前記不要物を回収するための収容部を備え、
前記制御部は、前記画像データから不要物のサイズを算出し、不要物のサイズと前記収容部が回収可能なサイズ情報と比較することで、前記収容部に回収できない大きさの不要物がある場合、
前記不要物を、断裁実行回数を少なくするように、前記画像レイアウトを変更することを特徴とする請求項１０または１１に画像形成装置。
【請求項１３】
前記制御部は、前記画像レイアウトの変更に際し、成果物に位置する画像を移動または／および回転して行うことを特徴とする請求項１０〜１２のいずれか１項に記載の画像形成装置。
【請求項１４】
前記制御部は、ＣＤ方向の断裁によって発生する不要物のＦＤ長さの合計を、前記ＣＤ方向の断裁によって発生する不要物の数で割った、ＦＤ長さ平均値が、不要物を回収する収容部が回収可能なサイズ情報より小さい場合、前記ＦＤ長さ平均値で前記画像レイアウトを変更することを特徴とする請求項１０〜１３のいずれか１項に記載の画像形成装置。
【請求項１５】
前記制御部は、ＣＤ方向の断裁によって発生する不要物のＦＤ長さの合計を、前記ＣＤ方向の断裁によって発生する不要物の数で割った、ＦＤ長さ平均値が、前記不要物を回収する収容部が回収可能なサイズ情報より大きい場合、前記収容部が回収可能なサイズで前記画像レイアウトを変更することを特徴とする請求項１０〜１３のいずれか１項に記載の画像形成装置。
【請求項１６】
前記成果物が排出される出力部と、第１の不要物を回収するための収容部と、第２の不要物が排出される出力部と、を備え、
前記制御部は、前記画像データから前記第１の不要物と前記第２の不要物のサイズを算出し、前記第１の不要物および前記第２の不要物のサイズと前記収容部が回収可能なサイズ情報と比較することで、前記収容部に収納できない前記第２の不要物の有無を判別し、
前記収容部に回収できない前記第２の不要物がある場合、ＣＤ方向の断裁によって発生する不要物のＦＤ長さの合計を、前記ＣＤ方向の断裁によって発生する不要物の数で割った、ＦＤ長さ平均値が、前記収容部が回収可能なサイズ情報より小さい場合、前記ＦＤ長さ平均値で前記画像レイアウトを変更し、
前記ＦＤ長さ平均値が、前記収容部が回収可能なサイズ情報より大きい場合、ＣＤ方向の断裁により発生する不要物のうち、記録媒体最後端で発生する不要物を除き、ＣＤ方向の断裁の最低保証サイズとなるように、前記画像レイアウトすることを特徴とする請求項１０〜１５のいずれか１項に記載の画像形成装置。
【請求項１７】
前記制御部は、前記画像データから第１の不要物と第２の不要物のサイズを算出し、前記第１の不要物および前記第２の不要物のサイズと前記第１の不要物を回収する収容部が回収可能なサイズ情報と比較することで、前記第１の不要物と前記第２の不要物を判別し、
前記収容部と前記成果物を回収する出力部のいずれへの出力を優先するかの設定に従って、前記画像レイアウトを変更することを特徴とする請求項１６記載の画像形成装置。
【請求項１８】
前記成果物が排出される出力部と、前記第２の不要物が排出される出力部が同じ場合、
前記制御部は、前記収容部に収納できない前記第２の不要物が発生する際は、前記第２の不要物が、前記出力部に排出される前記成果物のサイズと異なるサイズになるように、前記画像レイアウトを変更することを特徴とする請求項１６または１７に画像形成装置。
【請求項１９】
前記収容部に、前記第１の不要物の積載量を検知するセンサーが備えられており、
前記収容部の空き容量により、前記収容部が回収可能なサイズ情報が変動することを特徴とする請求項１６〜１８のいずれか１項に記載の画像形成装置。
【請求項２０】
請求項１０〜１９のいずれかに記載の画像形成装置と、画像形成装置の後段に接続された断裁装置を有する画像形成システム。
【請求項２１】
画像形成用の画像データを生成する画像処理部を制御する制御部で実行されるプログラムであって、
前記プログラムは、前記制御部に、画像形成された記録媒体を指定の位置で、成果物と、成果物以外の不要物と、に分割する際の前記不要物の大きさに応じて、画像形成における画像レイアウトを変更する制御を実行させることを特徴とする画像処理プログラム。
【発明の詳細な説明】
【技術分野】
【０００１】
この発明は、画像形成における画像レイアウトを設定する画像処理装置、画像形成装置および画像処理プログラムに関するものである。
【背景技術】
【０００２】
画像データに基づいて電子写真方式で画像形成を行う画像形成装置では、用紙の断裁を行って断裁屑を回収する容器が備えられたものが知られている。この装置では、断裁屑が収容部に収まることが必要になる。
このため、特許文献１では、記録紙の前端及び後端の余白部を裁断するカッタをプリンタに設け、前端余白部を裁断する場合には、記録紙を一定量送って、カッタで前端余白部の一部をカットする。この記録紙の一定量送りとカッタによるカット動作とを繰り返して、前端余白部の全部を裁断する。後端余白部を裁断する場合にも、前端余白部を裁断する場合と同様に、記録紙の一定量戻しとカッタによるカット動作とを繰り返して、後端余白部の全部を裁断する。カットされた切屑は細切れになるので、切屑収納部の収納効率が向上する。
特許文献２では、用紙から切り取られ不要となった紙を、より小さく切断する切断機構を設けている。
【先行技術文献】
【特許文献】
【０００３】
【特許文献１】特開２００１−１６２８７８号公報
【特許文献２】特開２０１３−５９８２１号公報
【発明の概要】
【発明が解決しようとする課題】
【０００４】
しかし、特許文献１で提案されている技術では、細かく断裁するために断裁回数を増やすと、成果物の印刷生産スピードが低下する問題があり、また、断裁刃の消耗が早くなるという問題がある。
特許文献２では、不要紙をさらに細かく断裁するための新たな切断機構が必要であり、装置のコストが高くなる問題がある。
【０００５】
本発明は上記事情を背景としてなされたものであり、細かく断裁するための追加機構が必須とされず、断裁回数を減らすことにより、成果物の生産性を向上することができる画像処理装置、画像形成装置および画像処理プログラムを提供することを目的とする。
【課題を解決するための手段】
【０００６】
本発明の画像処理装置のうち、第１の形態は、画像形成用の画像データを生成する画像処理部と、
画像処理部を制御する制御部と、を有し、
前記制御部は、画像形成された記録媒体を指定の位置で、成果物と、成果物以外の不要物と、に分割する際の前記不要物の大きさに応じて、画像形成における画像レイアウトを変更することを特徴とする。
【０００７】
他の形態の画像処理装置の発明は、前記形態の発明において、前記制御部は、前記画像データから不要物のサイズを算出し、前記不要物のサイズと不要物を回収する収容部が回収可能なサイズ情報と比較して、前記収容部に回収できない大きさの不要物がある場合、前記不要物を、前記収容部が回収できるサイズ以下になるように、前記画像レイアウトを変更することを特徴とする。
【０００８】
他の形態の画像処理装置の発明は、前記形態の発明において、前記制御部は、前記画像データから不要物のサイズを算出し、前記不要物のサイズと不要物を回収する収容部が回収可能なサイズ情報と比較し、前記収容部に回収できない大きさの不要物がある場合、前記不要物を、断裁実行回数を少なくするように、前記画像レイアウトを変更することを特徴とする。
【０００９】
他の形態の画像処理装置の発明は、前記形態の発明において、前記制御部は、前記画像レイアウトの変更に際し、成果物に位置する画像を移動または／および回転して行うことを特徴とする。
【００１０】
他の形態の画像処理装置の発明は、前記形態の発明において、前記制御部は、ＣＤ方向の断裁によって発生する不要物のＦＤ長さの合計を、前記ＣＤ方向の断裁によって発生する不要物の数で割った、ＦＤ長さ平均値が、不要物を回収する収容部が回収可能なサイズ情報より小さい場合、前記ＦＤ長さ平均値で前記画像レイアウトを変更することを特徴とする。
【００１１】
他の形態の画像処理装置の発明は、前記形態の発明において、前記制御部は、ＣＤ方向の断裁によって発生する不要物のＦＤ長さの合計を、前記ＣＤ方向の断裁によって発生する不要物の数で割った、ＦＤ長さ平均値が、不要物を回収する収容部が回収可能なサイズ情報より大きい場合、前記収容部が回収可能なサイズで前記画像レイアウトを変更することを特徴とする。
【００１２】
他の形態の画像処理装置の発明は、前記形態の発明において、前記制御部は、前記画像データから第１の不要物と第２の不要物のサイズを算出し、前記第１の不要物のサイズおよび第２の不要物のサイズと、第１の不要物を回収する収容部が回収可能なサイズ情報と比較することで、前記収容部に回収できない第２の不要物の有無を判別し、前記収容部に回収できない第２の不要物がある場合、ＣＤ方向の断裁によって発生する不要物のＦＤ長さの合計を、前記ＣＤ方向の断裁によって発生する不要物の数で割った、ＦＤ長さ平均値が、前記収容部が回収可能なサイズ情報より小さい場合、前記ＦＤ長さ平均値で前記画像レイアウトを変更し、
前記ＦＤ長さ平均値が、前記収容部が回収可能なサイズ情報より大きい場合、ＣＤ方向の断裁により発生する不要物のうち、記録媒体最後端で発生する不要物を除き、ＣＤ方向の断裁の最低保証サイズとなるように、前記画像レイアウトすることを特徴とする。
【００１３】
他の形態の画像処理装置の発明は、前記形態の発明において、前記制御部は、前記画像データから第１の不要物と第２の不要物のサイズを算出し、前記第１の不要物および前記第２の不要物のサイズと前記第１の不要物を回収する収容部が回収可能なサイズ情報と比較することで、第１の不要物と第２の不要物を判別し、
前記収容部と前記成果物を回収する出力部のいずれへの出力を優先するかの設定に従って、前記画像レイアウトを変更することを特徴とする。
【００１４】
他の形態の画像処理装置の発明は、前記形態の発明において、前記成果物が排出される出力部と、前記第２の不要物が排出される出力部が同じ場合、
前記制御部は、前記収容部に回収できない前記第２の不要物が発生する際は、前記第２の不要物が前記出力部に排出される成果物のサイズと異なるサイズになるように、前記画像レイアウトを変更することを特徴とする。
【００１５】
本発明の画像形成装置のうち第１の形態は、画像形成用の画像データを生成する画像処理部と、
前記画像データを記録媒体に画像形成する画像形成部と、
制御部と、を備え、
前記画像形成された記録媒体を指定の位置で、成果物と、成果物以外の不要物とに、分割する断裁部に供する記録媒体に、画像形成を行う画像形成装置であって、
前記制御部は、前記不要物の大きさに応じて前記画像形成の画像レイアウトを変更することを特徴とする。
【００１６】
他の形態の画像形成装置の発明は、前記形態の発明において、前記成果物が排出される出力部と、不要物を回収するための収容部と、を備え、
前記制御部は、前記画像データから不要物のサイズを算出し、不要物のサイズと前記収容部が回収可能なサイズ情報と比較することで、前記収容部に回収できない大きさの不要物がある場合、
前記不要物を、前記収容部が回収できるサイズ以下になるように、前記画像レイアウトを変更することを特徴とする。
【００１７】
他の形態の画像形成装置の発明は、前記形態の発明において、前記成果物が排出される出力部と、前記不要物を回収するための収容部を備え、
前記制御部は、前記画像データから不要物のサイズを算出し、前記不要物のサイズと前記収容部が回収可能なサイズ情報と比較することで、前記収容部に回収できない大きさの不要物がある場合、
前記不要物を、断裁実行回数を少なくするように、前記画像レイアウトを変更することを特徴とする。
【００１８】
他の形態の画像形成装置の発明は、前記形態の発明において、前記制御部は、前記画像レイアウトの変更に際し、成果物に位置する画像を移動または／および回転して行うことを特徴とする。
【００１９】
他の形態の画像形成装置の発明は、前記形態の発明において、前記制御部は、ＣＤ方向の断裁によって発生する不要物のＦＤ長さの合計を、前記ＣＤ方向の断裁によって発生する不要物の数で割った、ＦＤ長さ平均値が、前記不要物を回収する収容部が回収可能なサイズ情報より小さい場合、前記ＦＤ長さ平均値で前記画像レイアウトを変更することを特徴とする。
【００２０】
他の形態の画像形成装置の発明は、前記形態の発明において、前記制御部は、ＣＤ方向の断裁によって発生する不要物のＦＤ長さの合計を、前記ＣＤ方向の断裁によって発生する不要物の数で割った、ＦＤ長さ平均値が、前記不要物を回収する収容部が回収可能なサイズ情報より大きい場合、前記収容部が回収可能なサイズで前記画像レイアウトを変更することを特徴とする。
【００２１】
他の形態の画像形成装置の発明は、前記形態の発明において、前記成果物が排出される出力部と、第１の不要物を回収するための収容部と、第２の不要物が排出される出力部と、を備え、
前記制御部は、前記画像データから前記第１の不要物と前記第２の不要物のサイズを算出し、前記第１の不要物および前記第２の不要物のサイズと前記収容部が回収可能なサイズ情報と比較することで、前記収容部に収納できない前記第２の不要物の有無を判別し、
前記収容部に回収できない前記第２の不要物がある場合、ＣＤ方向の断裁によって発生する不要物のＦＤ長さの合計を、前記ＣＤ方向の断裁によって発生する不要物の数で割った、ＦＤ長さ平均値が、前記収容部が回収可能なサイズ情報より小さい場合、前記ＦＤ長さ平均値で前記画像レイアウトを変更し、
前記ＦＤ長さ平均値が、前記収容部が回収可能なサイズ情報より大きい場合、ＣＤ方向の断裁により発生する不要物のうち、記録媒体最後端で発生する不要物を除き、ＣＤ方向の断裁の最低保証サイズとなるように、前記画像レイアウトすることを特徴とする。
【００２２】
他の形態の画像形成装置の発明は、前記形態の発明において、前記制御部は、前記画像データから第１の不要物と第２の不要物のサイズを算出し、前記第１の不要物および前記第２の不要物のサイズと前記第１の不要物を回収する収容部が回収可能なサイズ情報と比較することで、前記第１の不要物と前記第２の不要物を判別し、
前記収容部と前記成果物を回収する出力部のいずれへの出力を優先するかの設定に従って、前記画像レイアウトを変更することを特徴とする。
【００２３】
他の形態の画像形成装置の発明は、前記形態の発明において、前記成果物が排出される出力部と、前記第２の不要物が排出される出力部が同じ場合、
前記制御部は、前記収容部に収納できない前記第２の不要物が発生する際は、前記第２の不要物が、前記出力部に排出される前記成果物のサイズと異なるサイズになるように、前記画像レイアウトを変更することを特徴とする。
【００２４】
他の形態の画像形成装置の発明は、前記形態の発明において、前記収容部に、前記第１の不要物の積載量を検知するセンサーが備えられており、
前記収容部の空き容量により、前記収容部が回収可能なサイズ情報が変動することを特徴とする。
【００２５】
本発明の画像形成システムは、前記形態のいずれかに記載の画像形成装置と、画像形成装置の後段に接続された断裁装置を有する。
【００２６】
本発明の画像処理プログラムは、
画像形成用の画像データを生成する画像処理部を制御する制御部で実行されるプログラムであって、
前記プログラムは、前記制御部に、画像形成された記録媒体を指定の位置で、成果物と、成果物以外の不要物と、に分割する際の前記不要物の大きさに応じて、画像形成における画像レイアウトを変更する制御を実行させることを特徴とする。
【発明の効果】
【００２７】
本発明によれば、画像レイアウトを変更することで、断裁回数を増やさずに、切り屑にすることができる。さらに、断裁回数を減らすことにより、画像断裁刃の消耗を抑え、成果物の生産性を向上することができる。また、細かく断裁するための追加機構を必須とするものではなく、必要によりコストを抑えることができる。
【図面の簡単な説明】
【００２８】
【図１】本発明の一実施形態の画像形成装置の機械的概略を示す図である。
【図２】同じく制御ブロックを示す図である。
【図３】実施形態１における画像処理の手順を示すフローチャートである。
【図４Ａ】ページ情報の例を示す図である。
【図４Ｂ】断裁屑情報の例を示す図である。
【図５Ａ】収容部情報の例を示す図である。
【図５Ｂ】可変の収容部情報の例を示す図である。
【図６Ａ】画像形成された用紙の通紙状態を説明する図である。
【図６Ｂ】画像形成された用紙の断裁を説明する図である。
【図７】切断部の概略構成を示す斜視図である。
【図８】実施形態１−１における収容部に収容可能な不要物のサイズの情報を示す図である。
【図９】実施形態１−１に用いる印刷データを示す図である。
【図１０】実施形態１−１において対比される従来例の断裁例を示す図である。
【図１１】実施形態１−１における断裁例を示す図である。
【図１２】実施形態１−２における収容部に収容可能な不要物のサイズの情報を示す図である。
【図１３】実施形態１−２に用いる印刷データを示す図である。
【図１４】実施形態１−２において対比される従来例の断裁例を示す図である。
【図１５】実施形態１−２における断裁例を示す図である。
【図１６】実施形態２における画像処理の手順を示すフローチャートである。
【図１７】実施形態２における収容部に収容可能な不要物のサイズの情報を示す図である。
【図１８】実施形態２に用いる印刷データを示す図である。
【図１９】実施形態２において対比される従来例の断裁例を示す図である。
【図２０】実施形態２における断裁例を示す図である。
【図２１】実施形態３における画像処理の手順を示すフローチャートである。
【図２２】断裁幅最小サイズ情報の例を示す図である。
【図２３】実施形態３における収容部に収容可能な不要物のサイズの情報を示す図である。
【図２４】実施形態３に用いる印刷データを示す図である。
【図２５】実施形態３において対比される従来例の断裁例を示す図である。
【図２６】実施形態３における断裁例を示す図である。
【図２７】実施形態４における収容部の構造を示す斜視図である。
【図２８】実施形態５における画像処理の手順を示すフローチャートである。
【図２９】実施形態５における収容部に収容可能な不要物のサイズの情報を示す図である。
【図３０】実施形態５に用いる印刷データを示す図である。
【図３１】実施形態５において対比される従来例の断裁例を示す図である。
【図３２】実施形態５における断裁例を示す図である。
【発明を実施するための形態】
【００２９】
以下に、本発明の画像形成装置の一実施形態を添付図面に基づいて説明する。
なお、この実施形態では、画像形成装置は画像処理装置としての機能を有している。
画像形成装置１は、図１に示すように、前段側から順に、給紙装置１５、装置本体１０、後処理部１６を備えている。各装置および後処理部は、電気的および機械的に接続されており、各装置および後処理部間で、通信および用紙の搬送が可能となっている。
【００３０】
給紙装置１５は、複数の給紙部１５３、１５４、１５５を備えており、給紙部１５３、１５４には給紙トレイを備え、この給紙トレイに用紙が収納される。給紙部１５５は、手差しの給紙トレイを有し、手差しの給紙トレイに用紙が積載されて給紙が行われる。各給紙部１５３、１５４、１５５の用紙は、後段に設置されている装置本体１０に供給可能となっている。用紙は、記録媒体に相当する。なお、本発明としては、記録媒体の材質は紙に限定されるものではなく、布やプラスチックなどからなるものであってもよく、長尺カット紙やロール紙などの長尺な用紙を用いるものであってもよい。
【００３１】
装置本体１０は、筺体内の下部側に、複数の給紙部１５１、１５２を備えている。給紙部１５１、１５２では、それぞれ給紙トレイを有し、給紙トレイに用紙が収納されている。この用紙も前記と同様に本発明の記録媒体に相当する。
装置本体１０の筺体内には、搬送路が設けられており、給紙部１５１〜１５５から供給される用紙が搬送路に沿って下流側に搬送される。
【００３２】
搬送路の途中付近には、用紙に画像を形成する画像形成部１４が設けられている。画像形成部１４は、感光体ドラム１４１を有し、感光体ドラム１４１の周囲には、図示しない帯電器、ＬＤ（レーザダイオード）、現像器１４３、定着器１４４、転写ローラー１４２などを有し、転写ローラー１４２は用紙の搬送路付近に配置されている。
図では、画像形成部について一色の組み合わせの構成を示しているが、各色用（例えばシアン、マゼンタ、イエロー、ブラック）にそれぞれの組み合わせを有するものとしてもよく、その場合は、中間転写部を設けることができる。
【００３３】
用紙に画像を形成する場合は、帯電器によって感光体ドラム１４１が一様に帯電された後に、感光体ドラム１４１に対しＬＤからレーザー光が照射されて、感光体ドラム１４１上に潜像が形成される。感光体ドラム１４１上の潜像は、現像器１４３によって現像されてトナー像となり、感光体ドラム１４１上のトナー像は転写ローラー１４２において用紙に転写される。画像が形成されて、搬送路に沿って搬送される用紙は、定着器１４４によって画像の定着が行われる。
なお、図では示していないが、定着器１４４の下流側で用紙を反転して感光体ドラム１４１の上流側に用紙を環流させる反転搬送路を設け、用紙の裏面側に画像形成を行うものとすることができる。
【００３４】
また、装置本体１０は、筐体の上部に操作部１３が備えられている。操作部１３は、タッチパネルを供えたＬＣＤと、テンキー等の操作キー群とを有している構成とすることができ、情報の表示および操作入力の受付が可能となっている。
なお、この実施形態では、操作部１３は操作部と表示部とが一体となっているものでもよく、操作部と表示部とが別体になっているものでもよく、例えば、操作部をマウスやタブレット、端末等によって構成してもよい。
また、操作部１３は、移動可能となっているものであってもよい。
【００３５】
装置本体１０の筐体の上部には、操作部１３が位置しない場所に、原稿搬送部１１が備えられている。原稿搬送部１１は、原稿載置台にセットされた原稿を自動で給送するものであり、原稿搬送部１１で給送される原稿は、スキャナーなどを有する原稿読取部１２によって読み取られる。
なお、原稿読取部１２による原稿の読み取りは図示しないプラテンガラス上で行うことも可能である。
また、原稿読取部１２では、画像形成装置１から出力された印刷物をセットして読み取りを行うことも可能である。
【００３６】
装置本体１０は、制御部１００を有している。制御部１００は、画像形成装置１全体を制御するものであり、ＣＰＵやメモリなどによって構成される。なお、制御部１００は、装置本体外に設けられるものであってもよい。ＣＰＵ上で動作するプログラムは、本発明のプログラムを含んでいる。制御部１００は、本発明の画像処理装置の主要な構成となるものである。
制御部１００は、画像データに基づいて画像形成位置を決定して画像を形成することができる。その際には、通常は、用紙の位置基準に応じて画像形成位置を定める。
また、後処理で用紙の断裁を行う場合、断裁に応じて画像のレイアウトを変更できるようにしてもよい。
Ｉ／Ｆ部１０５は、ネットワークなどに接続するインターフェースであり、外部と画像形成装置１との間の通信を可能にする。
【００３７】
この実施形態では、後処理部１６は、用紙の断裁を行うことができる。
後処理部１６には、画像が形成された用紙を搬送する搬送部１６５を有しており、その途中に切断部１６１を有している。切断部の下方側には、切り屑を回収する収容部１６４を有している。
切断部１６１には、用紙をＣＤ（cross direction）方向に断裁するＣＤ断裁部１６２と、用紙をＦＤ（紙送り）方向に断裁するＦＤ断裁部１６３を有している。
【００３８】
切断部１６１の下流側には、搬送方向切替部１６６を有しており、その一つの方向に出力部１６７を有し、他の方向に出力部１６８を有している。出力部１６７は、印刷用紙、成果物が出力され、出力部１６８は、切れ端などの断裁屑が出力され、収容部１６４で回収できない不要物を出力することができる。収容部１６４に回収される不要物は、本発明の第１の不要部に相当し、出力部１６８に出力される不要物は、本発明の第２の不要物に相当する。
【００３９】
この実施形態では、給紙装置１５、装置本体１０、後処理部１６によって画像形成装置１が構成されているものとしたが、本発明としては画像形成装置の構成は上記構成に限定されるものではない。例えば、装置本体１０のみによって画像形成装置が構成されるものでもよく、また、装置本体１０に給紙装置１５、後処理部１６などを備えるものを画像形成システムとしてもよい。
【００４０】
次に、画像形成装置１の電気的構成を、図２に基づいて説明する。
制御部１００は、画像形成装置における各構成部を制御する部分であり、ＣＰＵ１０１とＨＤＤ１０２、メモリ１０３、不揮発メモリ１０４などがバスを介して接続されている。Ｉ／Ｆ部１０５から受信したプリントジョブを解析し、画像形成するための画像データを生成する画像処理部の機能も兼ねる。したがって、制御部１００は、本発明における画像処理部と制御部とを兼用している。本発明としては、制御部の他に画像処理部を別体で有し、画像処理部が制御部で制御されるものとされているものであってもよい。
【００４１】
ＣＰＵ１０１は、各部の制御ならびに画像処理などを行う部分である。
ＨＤＤ１０２は、ＣＰＵ１０１が各部を制御するためのプログラム、自装置の処理機能に関する情報を格納し、ＣＰＵ１０１により必要に応じて読み出され、メモリ１０３上で実行処理される。
メモリ１０３は、原稿読取部１２、Ｉ／Ｆ部１０５から読み込んだ種々のデータを一時的に記憶する部分で、記憶された画像データはＣＰＵ１０１によって処理され、画像形成部１４に転送される。このメモリ１０３上で印刷データはラスタライズ処理され、印刷用のＣＭＹＫ各色のビットマップデータが生成される。
【００４２】
Ｉ／Ｆ部１０５は、ＬＡＮケーブル等を介してネットワークに接続され、クライアントＰＣ等と接続を確立し、プリントジョブや各種ステータスなどのデータの送受信を実行する部分である。
すなわち、Ｉ／Ｆ部１０５は、外部の装置との間でデータの送受信を行うことができる。外部装置は、画像形成装置を管理する場合、画像形成装置を直接制御してもよく、また、画像形成装置へ制御内容の指示を行い、この指示内容によって画像形成装置の制御部で制御が行われるようにしてもよい。外部装置では、画像形成装置における画像形成に際し、画像のレイアウトなどの変更を行うものとしてもよい。その場合、外部装置は、本発明の画像処理装置として機能する。
【００４３】
原稿搬送部１１は、単数もしくは、複数枚の原稿用紙を自動で原稿読取部１２へ搬送する部分である。この構成は、本願発明では必須となるものではない。
原稿読取部１２は、原稿台上の原稿用紙から画像データを光学的に読み取る部分である。この構成は、本願発明では必須となるものではない。
操作部１３は、画像形成装置１に関する各種設定を行う。この操作部はタッチパネルとなっており、表示と操作を平行して処理できる構成となっている。なお、この操作機能はパネル上に限らず操作機能を提供できればどこにあってもよく、画像形成装置の外部において遠隔で操作できるものであってもよい。
【００４４】
画像形成部１４は、本実施形態においては、電子写真方式や静電記録方式等の作像プロセスを利用した画像形成装置における画像を形成するのに必要な構成要素を総じて、画像形成部と呼ぶ。つまり、感光体ドラム１４１、転写ローラー１４２、現像器１４３、定着器１４４等などから成る。原稿読取部１２から読み込んだ画像データ、あるいはＩ／Ｆ  部１０５を介して受け取ったプリントジョブから生成した画像データを、給紙部１５１〜１５５から搬送した印刷用紙に形成し、後処理部１６に送り出す。
【００４５】
給紙部１５１〜１５５は、印刷用紙を格納する部分で、格納された印刷用紙を画像形成部１４へ送り出す部分を含む。複数の給紙部が存在する。
後処理部１６は、画像形成装置など前段から搬送される用紙を、制御部１００からの指示により、搬送ローラーや切替爪などを制御しながら搬送し、必要に応じてパンチ・ステープル・製本・糊による貼り付けなどのユーザの希望するフィニッシング処理を加えて出力する部分である。本実施形態では前述したように切断部１６１を有する。
【００４６】
切断部１６１は、用紙を断裁する実行する部分である。断裁位置にはＦＤ方向の断裁とＣＤ方向の断裁があり、本実施ではＣＤ断裁部１６２とＦＤ断裁部１６３を備えている。
ＣＤ断裁部１６２は、用紙が搬送される方向と垂直に断裁を実行する部分である。
ＦＤ断裁部１６３は、用紙が搬送される方向に断裁を実行する部分である。
収容部１６４は、切断部１６１で断裁された断裁屑を収容する部分である。切断部１６１から断裁屑が自由落下して回収される。本実施形態では、収容部１６４が収容可能な断裁屑サイズがあらかじめ決められており、不揮発メモリ１０４にその情報が保持されている。断裁屑が一杯になった場合、ユーザに向けて断裁屑を機外に廃棄するよう、操作部１３等に表示することができる。
【００４７】
搬送部１６５は、搬送ローラーなどから構成される用紙を搬送する部分である。
搬送方向切替部１６６は、搬送方向切替爪などから構成される用紙を搬送する方向を切り替える部分である。
出力部１６７〜１６８は、印刷物を排出して積載する。複数の出力部が存在する。
【００４８】
次に、本実施形態における画像形成装置１の制御部１００の画像処理動作を図３のフローチャートに基づいて説明する。
画像形成装置１の制御部１００は、Ｉ／Ｆ部１０５を介してページ情報を受信すると（ステップ１００１）、メモリ１０３上でその情報を展開し解析する（ステップ１００２）。
【００４９】
図４Ａに示されるページ情報は、サイズや紙種などの印刷用紙の情報や、用紙に画像形成される画像レイアウトの情報や（図４Ａでは「成果物Ｎ（１…）位置」で表現している）、実行すべきフィニッシングの情報などを含む。さらに、ページ情報に関連付けて断裁屑情報を設けられている。上記ページ情報とともに受信する。断裁屑情報はページ情報に含まれるものであってもよい。
【００５０】
ページ情報（例えば図４Ａ）が断裁指示を含まない場合（ステップ１００３：Ｎｏ）、公知の通常の印刷処理を行う（ステップ１００４）。
ページ情報が断裁指示を含む場合（ステップ１００３：Ｙｅｓ）、収容部情報（図５Ａ）から、収容部１６４の断裁屑収容可能サイズをメモリ１０３上に展開する（ステップ１００５）。ページ情報（図４Ａ、図４Ｂ）から断裁位置の情報や成果物の位置の情報を解析する（ステップ１００６）。収容部情報の例は、図５Ａ、図５Ｂ（可変）に示す。センサー情報の例は、図２７に示す。図５Ｂ、図２７については後述する。
【００５１】
全てのＦＤ／ＣＤ断裁屑が収容可能サイズ以下となる場合（ステップ１００７：Ｙｅｓ）、全ての断裁屑の排出先として収容部１６４をセットする（ステップ１００８）。排出先の指定については、図４Ａのページ情報に基づいて、図４Ｂの断裁屑情報をメモリ１０３で生成する。図４Ｂの断裁屑情報の排出先に収容部１６４をセットする。
【００５２】
ページ情報（図４Ａ）に従い、指定の給紙部１５１〜１５５から指定の印刷用紙を給紙し、画像形成部１４でページ情報（図４Ａ）の指定通りの画像レイアウト／成果物位置で画像形成を実行し（ステップ１００９）、切断部１６１にてページ情報（図４Ａ）の指定の断裁位置で断裁を実行する。画像がレイアウトされた印刷用紙を図６Ａに示し、成果物位置情報と断裁位置情報との関係を図６Ｂに示す。
メモリ１０３上に展開された断裁位置情報から、ＦＤ断裁位置にＦＤ断裁部１６３を移動する。
【００５３】
ＦＤ断裁位置が複数ある場合は、複数のＦＤ断裁部１６３をそれぞれのＦＤ断裁位置に移動する。
図７は、切断部の概略を示すものである。搬送路には、搬送ローラー１６５Ａが配置され、用紙をＣＤ方向に断裁するＣＤ断裁部１６２と、用紙をＦＤ方向に断裁するＦＤ断裁部１６３とを備えている。
ＦＤ断裁がＯＮの領域でＦＤ断裁部１６３の刃を用紙に押し当てながら、搬送部１６５の搬送ローラー１６５Ａを回転して用紙搬送することでＦＤ断裁を実行する。
ＣＤ断裁がＯＮの位置で用紙を停止して、ＣＤ断裁部１６２の刃を用紙に押し当てＣＤ方向に移動することで、断裁を実行する。
【００５４】
各断裁屑をステップ１００８で決定した排出先を図４Ｂの断裁屑情報から読み取り、収容部１６４に排出する（ステップ１０１０）。
全てのＦＤ／ＣＤ断裁屑が収容可能サイズ以下とならない（ステップ１００７：Ｎｏ）が、全てのＦＤ断裁屑が収容可能サイズ以下となる場合（ステップ１１０１：Ｙｅｓ）、全てのＦＤ断裁屑の排出先として収容部１６４をセットする（ステップ１１０２）。
【００５５】
図８に収容部で収納可能な断裁屑サイズの例を示している。印刷用紙は、成果物、収容部で収容可能なサイズである切り屑、収容部で収容可能なサイズを超えている切れ端となる。
「ＣＤ断裁屑のＦＤ長さ合計／ＣＤ断裁屑数」、つまりＣＤ断裁屑のＦＤ長さ平均値が、収容可能サイズ以下になるか算出比較する（ステップ１１０３）。収容可能サイズ以下になる場合（ステップ１１０３：Ｙｅｓ）、全ＣＤ断裁屑のＦＤ長さとして「ＣＤ断裁屑のＦＤ長さ合計／ＣＤ断裁屑数」の値をセットする（ステップ１１０４）。
【００５６】
図９はオリジナルの印刷ジョブによる断裁位置を示し、図１０は従来技術による断裁処理で、収容部に収容できない大きさの不要物を、収容部に収まるようにＣＤ断裁を繰り返したもので、ＣＤ断裁回数は８回になっている。図１１は実施形態１−１により、ＣＤ断裁屑の幅を均等化するように成果物の位置を変更することによって、ＣＤ断裁回数が６回に減ったものである。（ステップ１１０３〜１１０４の部分を「実施形態１−１」と呼ぶ）
【００５７】
ステップ１１０３で、収容可能サイズ以下にならない場合（ステップ１１０３：Ｎｏ）、用紙先頭から全てのＣＤ断裁屑に対して、ＣＤ断裁屑のＦＤ長さに収容可能サイズをセットする（ステップ１２０１〜１２０４）。最終ＣＤ断裁屑は、収容可能サイズ以下となる。
この例（実施形態１−２）において収容部に収容可能なサイズを図１２に示す。
【００５８】
図１３はオリジナルの印刷ジョブによる断裁位置である。実施形態１−１と比べて、成果物の数が少ないので、不要物のサイズが大きい実施形態となっている。
図１４は従来技術による断裁処理で、ＣＤ断裁回数は９回になっている。図１５は本実施形態１−２により、用紙先端から成果物までの余白や成果物間の余白のサイズが収容可能サイズになるように、成果物の位置を変更することによって、ＣＤ断裁回数が８回に減ったことを示している。（ステップ１２０１〜１２０４の部分を「実施形態１−２」と呼ぶ）
【００５９】
実施形態１−１、実施形態１−２ともに、全てのＣＤ断裁屑が収容可能サイズ以下になったため、排出先として収容部１６４をセットする（ステップ１１０５）。断裁位置の移動に合わせて、成果物画像を移動する（ステップ１１０６）。
全てのＦＤ／ＣＤ断裁屑が収容可能サイズ以下とならない場合で（ステップ１００７：Ｎｏ）、更に全てのＦＤ断裁屑が収容可能サイズ以下とならない場合（ステップ１１０１：Ｎｏ）、全てのＦＤ断裁屑について収容可能サイズになるようにＣＤ断裁位置を追加する（１１１２）。（公知）
例えば、ＦＤ断裁屑がＣＤ方向２０ｍｍ×ＦＤ方向２１０ｍｍで、収容可能サイズがＣＤ方向７０ｍｍ×ＦＤ方向１５０ｍｍの場合、ＦＤ断裁屑を、ＣＤ方向２０ｍｍ×ＦＤ方向１５０ｍｍ  の位置でＣＤ断裁する。本実施は公知と同じやり方のため、従来技術から断裁回数は変化しない。
【００６０】
次に、他の実施形態２を図１６のフローチャートに基づいて説明する。
ステップ１００１からステップ１００７は、実施形態１と同じであり、その説明を省略する。収容部に収容可能なサイズは図１７に示すものであり、図１８に示す印刷データに基づいて断裁が行われる。
図２０のように、成果物のページを全て９０度回転した場合のＦＤ長さ合計を算出する。具体的には、１ページ目の成果物について、先頭の第１ＣＤ断裁屑のＦＤ方向長さ２０ｍｍをキープした状態で、第２ＦＤ断裁屑と第３ＦＤ断裁屑のＣＤ方向長さが同じ（４５ｍｍ）になるようにセンタリングしながら、成果物画像の９０度回転を想定する。
【００６１】
続いて同様に第４ＣＤ断裁屑のＦＤ方向長さ２０ｍｍをキープした状態で、ＣＤ方向はセンタリングしながら、２ページ目の成果物画像の９０度回転を想定する。すべての成果物ページでこれを繰り返す。そうしてＦＤ長さの合計を算出する。
ＦＤ長さの合計が用紙サイズ長さ８８０ｍｍに収まれば、成果物の最終ページが印刷用紙に収まる。ＦＤ長さの合計が用紙サイズ長さ以下にならない場合（ステップ２００１：Ｎｏ）、画像回転できないため、従来技術通りに、画像回転しない状態で、最終ＣＤ断裁屑を収容可能サイズに分割する位置に断裁位置をセットし（ステップ２００９）、全ての断裁屑の排出先として収容部をセットして（ステップ１００８）、画像形成して（ステップ１００９）、断裁しながら断裁屑を指定の排出先、つまり収容部に排出する（ステップ１０１０）。
【００６２】
ＦＤ長さの合計が用紙サイズ長さ以下になった場合（ステップ２００１：Ｙｅｓ）、成果物の画像を９０度回転する（ステップ２００２）。画像回転することで、全ての断裁屑サイズが収容可能サイズ以下になれば（ステップ２００３：Ｙｅｓ）、全ての断裁屑の排出先として収容部をセットして（ステップ１００８）、画像形成して（ステップ１００９）、断裁しながら断裁屑を指定の排出先、つまり収容部に排出する（ステップ１０１０）。なお、画像の回転は９０度以外で行うものとしてもよい。
【００６３】
画像回転することで、全ての断裁屑サイズが収容可能サイズ以下にならない場合（ステップ２００３：Ｎｏ）、９０度画像回転する場合と、回転しない場合でどちらの断裁回数が多いか比較する。図２０の断裁位置を参照しながら、成果物画像が９０度回転の位置で、ＣＤ断裁回数をカウントする（ステップ２００４）。この例では、最終ＣＤ断裁屑は収容可能サイズなので、これ以上分割する必要はない。図２０の断裁位置を参照しながら、成果物画像が０度回転の位置で、ＣＤ断裁回数をカウントする（ステップ２００５）。
【００６４】
この例では、最終ＣＤ断裁屑は収容可能サイズより大きいので、収容可能サイズ以下に３分割する。ステップ２００４で求めた９０度回転時のＣＤ断裁回数と、ステップ２００５で求めた回転しないときのＣＤ断裁回数を比較し（ステップ２００６）、９０度の断裁回数の方が少ない場合は（ステップ２００６：Ｙｅｓ）は既に９０度回転されているため、その画像レイアウトに合わせて断裁位置をセットする（ステップ２００８）。０度の断裁回数の方が少ない場合は（ステップ２００６：Ｎｏ）は既に０度の位置に回転して（−９０度回転して）、その画像レイアウトに合わせて断裁位置をセットする（ステップ２００８）。以降のフローは上述のものと同じである。図１９に示す断裁回数は８回であるのに対し、本実施形態２では、断裁回数は６回に減少している。
【００６５】
さらに他の実施形態３を図２１のフローチャートに基づいて説明する。
ステップ１０００番台は実施形態１と同じであり、その説明は省略する。ステップ３０００番台（３００１〜３００４）は実施形態１との差分になる。収容部に収容可能なサイズは図２３に示すものであり、図２４に示す印刷データに基づいて断裁が行われる。
【００６６】
ステップ１１０３の余白均等割りで収容可能サイズ以下にならない場合（ステップ１１０３：Ｎｏ）、実施形態１のように最終ＣＤ断裁屑を収容可能サイズに分割断裁すると、断裁実施回数が多くなるため、最終ＣＤ断裁屑は断裁せずにサブトレイである出力部１６８に排出する。実施形態３では、出力部１６８に出力するので、そちらの一枚モノの不要物のサイズを大きくして、収容部１６４に落とす断裁屑のサイズはできるだけ小さくなるように画像レイアウトを変更する。
【００６７】
画像形成装置１のＨＤＤ１０２に、後処理部１６の切断部１６１の性能仕様として、断裁最小サイズ情報が格納されている（図２２参照）。断裁最小サイズ情報をＨＤＤ１０２から読み出し、メモリ１０３で保持する（ステップ３００１）。本実施では１０ｍｍという値が入っている。最終ＣＤ断裁屑以外のＣＤ  断裁屑のＦＤ長さに断裁幅最小サイズの値（１０ｍｍ）をセットする（ステップ３００２）。
なお、最終ＣＤ断裁屑のＦＤ  長さは、用紙長さ−１０ｍｍ×ｎ（ｎ：最終ＣＤ断裁屑以外のＣＤ  断裁屑の数）となる。
【００６８】
最終ＣＤ断裁屑以外のＣＤ断裁屑の排出先として収容部をセットする（ステップ３００３）。最終ＣＤ断裁屑の排出先としてサブトレイである出力部１６８をセットする（ステップ３００４）。
断裁位置に合わせて画像レイアウトを変更し（ステップ１１０６）、画像形成し（ステップ１００９）、指定の排出先に各断裁屑を排出する（ステップ１０１０）。
従来例では、図２５に示すように、断裁回数が８回であるが、本実施形態３では、図２６に示すように、断裁回数は６回に減少している。
【００６９】
さらに他の形態である実施形態４について説明する。
この形態では、収容部１６４の収容可能サイズが、収容部に堆積された断裁屑の量によって変動するものである。
図２７に示すように、収容部１６４は、３段階の高さにセンサー１、センサー２、センサー３を有する。センサーは光源と受光素子の組み合わせからなり、収容部の内側側面に光源、反対側の内側側面に受光素子が備えられる。センサーが存在する高さまで断裁屑が堆積されると、光源の光が遮断され受光素子まで届かなくなるため、センサーがＯＮ（受光あり）からＯＦＦ（受光なし）に変わる。３つのセンサーのＯＮ／ＯＦＦ状態から、収容可能サイズが図５Ｂのように変わる。
【００７０】
次に、ＦＤ方向でなくＣＤ方向に画像レイアウトを移動する実施形態５について、図２８のフローチャートに基づいて説明する。
ステップ１０００番台は実施形態１と同じであり、ステップ５０００番台（５００１〜５２０４）が実施形態１との差分となる。収容部に収容可能なサイズは図２９に示すものであり、図３０に示す印刷データに基づいて断裁が行われる。
【００７１】
ステップ５００１で、先（ま）ずはＣＤ断裁屑が収容可能サイズ以下か確認する。収容可能サイズでない場合（５００１：Ｙｅｓ）、従来技術同様にＣＤ  断裁屑を収容可能サイズ以下になるようにＣＤ  断裁を実行する（５１０１〜５１０３）。本実施ではＦＤ  断裁屑に着目しているため、従来技術と同様の処理を記載しているが、ＣＤ  断裁回数を減らす手法については、実施例１、２、３を参照されたい。
ステップ５００２  で全てのＣＤ  断裁屑が収容可能サイズになったため、排出先として収容部をセットする。
【００７２】
次に、ＦＤ断裁屑が収容可能サイズ以下か確認する（ステップ５００３）。収容可能サイズ以下だった場合（ステップ５００３：Ｙｅｓ）、全てのＦＤ断裁屑の排出先として収容部をセットして（ステップ５００４）、画像形成（ステップ５００９）、断裁、排出（ステップ５０１０）へと進む。
【００７３】
ＦＤ断裁屑が収容可能サイズ以下でなかった場合（ステップ５００３：Ｎｏ）、ＦＤ断裁屑のＣＤ長さ（画像で言うと上下の横長の余白の幅）が均等になるように画像をＣＤ方向に移動したときのＦＤ断裁屑のＣＤ長さを算出し、そのＦＤ断裁屑が収容可能サイズ以下かどうか確認する（ステップ５００５）。
【００７４】
収容可能サイズ以下になれば、その位置に断裁位置をセットし（ステップ５００６）、断裁屑の排出先を収容部としてセットし（ステップ５００７）、画像レイアウトもその位置に移動する（ステップ５００８）。画像形成（ステップ５００９）、断裁、排出（ステップ５０１０）へと進む。
【００７５】
ＦＤ断裁屑のＣＤ長さが均等になるように画像をＣＤ方向に移動しても、ＦＤ断裁屑が収容可能サイズ以下にならない場合（ステップ５００５：Ｎｏ）、従来技術と同様にＦＤ断裁屑を収容可能サイズ以下にすべく、ＣＤ断裁位置を追加する（ステップ５２０１〜５２０４）。本実形態５では、ＦＤ断裁部が２つしかないケースを想定したためＦＤ断裁は追加していないが、ＦＤ断裁部が３つ以上ある場合は、ＦＤ断裁を追加することで断裁屑を収容可能サイズ以下に断裁してもよい。従来例では、図３１に示すように、断裁回数が１６回であったのに対し、この実施形態５では断裁回数が８回に減少している。
【００７６】
以上、本発明について上記実施形態に基づいて説明を行ったが、本発明は上記説明の内容に限定されるものではなく、本発明の範囲を逸脱しない限りは、上記実施形態に対する適宜の変更が可能である。
【符号の説明】
【００７７】
１    画像形成装置
１０    装置本体
１０    給紙装置
１１    原稿搬送部
１２    原稿読取部
１３    操作部
１４    画像形成部
１５    給紙装置
１６    後処理部
１００  制御部
１０３  メモリ
１０４ 不揮発メモリ
１０５  Ｉ／Ｆ部
１４１  感光体ドラム
１４２  転写ローラー
１４３  現像器
１４４  定着器
１５１、１５２、１５３、１５４、１５５  給紙部
１６１  切断部
１６２  ＣＤ断裁部
１６３  ＦＤ断裁部
１６４  収容部
１６５  搬送部
１６５Ａ  搬送ローラー
１６６  搬送方向切替部
１６７  出力部
１６８  出力部
【図１】
2020043535.tif 000003
【図２】
2020043535.tif 000004
【図３】
2020043535.tif 000005
【図４Ａ】
2020043535.tif 000006
【図４Ｂ】
2020043535.tif 000007
【図５Ａ】
2020043535.tif 000008
【図５Ｂ】
2020043535.tif 000009
【図６Ａ】
2020043535.tif 000010
【図６Ｂ】
2020043535.tif 000011
【図７】
2020043535.tif 000012
【図８】
2020043535.tif 000013
【図９】
2020043535.tif 000014
【図１０】
2020043535.tif 000015
【図１１】
2020043535.tif 000016
【図１２】
2020043535.tif 000017
【図１３】
2020043535.tif 000018
【図１４】
2020043535.tif 000019
【図１５】
2020043535.tif 000020
【図１６】
2020043535.tif 000021
【図１７】
2020043535.tif 000022
【図１８】
2020043535.tif 000023
【図１９】
2020043535.tif 000024
【図２０】
2020043535.tif 000025
【図２１】
2020043535.tif 000026
【図２２】
2020043535.tif 000027
【図２３】
2020043535.tif 000028
【図２４】
2020043535.tif 000029
【図２５】
2020043535.tif 000030
【図２６】
2020043535.tif 000031
【図２７】
2020043535.tif 000032
【図２８】
2020043535.tif 000033
【図２９】
2020043535.tif 000034
【図３０】
2020043535.tif 000035
【図３１】
2020043535.tif 000036
【図３２】
2020043535.tif 000037